(57)【要約】【課題】  設備コストの上昇、施工の煩雑化およびランニングコストの上昇を招来せず、しかもメンテナンスフリーな照明機能を有する外壁面材およびその製法を提供する。【解決手段】  面材本体２と一体的に所定形状とされた蓄光材１が配設されてなる外壁面材Ｍであり、蓄光材１が面材本体２の表面形状に対応させて形成されてなるものである。例えば、面材本体２の表面が波型状とされ、蓄光材１が該波型状に対応させて形成されていたり、面材本体２の表面がタイル調とされ、蓄光材１がタイル調とされていたりするものである。型枠底面Ｆａに蓄光材１を配置し、型枠Ｆ内にコンクリートＣを打設し、所定の養生の後に脱型して製作される。【選択図】  図１
2006257694.tif 000002
【特許請求の範囲】
【請求項１】
面材本体を備えてなる外壁面材であって、該面材本体と一体的に所定形状とされた蓄光材が配設されてなることを特徴とする外壁面材。
【請求項２】
蓄光材が面材本体の表面形状に対応させて形成されてなることを特徴とする請求項１記載の外壁面材。
【請求項３】
面材本体の表面が波型状とされ、蓄光材が該波型状に対応させて形成されてなることを特徴とする請求項２記載の外壁面材。
【請求項４】
面材本体の表面がタイル調とされ、蓄光材がタイル調とされてなることを特徴とする請求項２記載の外壁面材。
【請求項５】
コンクリート面材を備えてなる外壁面材の製法であって、
型枠底面に蓄光材を配置する手順と、
型枠内にコンクリートを打設する手順と、
所定の養生の後に脱型する手順
とを含んでいることを特徴とする外壁面材の製法。
【請求項６】
請求項１ないし４のいずれか一項に記載の外壁面材を備えてなることを特徴する外壁。
【請求項７】
請求項６記載の外壁を備えてなることを特徴とする建築物。
【発明の詳細な説明】
【技術分野】
【０００１】
本発明は外壁面材およびその製法に関する。さらに詳しくは、無電源にて照明がなし得る外壁面材およびその製法に関する。
【背景技術】
【０００２】
従来より、戸建住宅１００や集合住宅１２０においては、防犯などのために外壁Ｗや廊下の天井Ｔに照明１３０が設けられている（図８および図９参照）。
【０００３】
しかしながら、外壁Ｗや廊下の天井Ｔに照明１３０を設けた場合、照明設備の据付および配線工事が必要となり、設備コストの上昇を招来し、かつ、工事が煩雑となって工期の長期化および施工コストの上昇を招来するという問題がある。また、照明設備を設けた場合、定期的なメンテナンスが必要となるという問題もある。さらに、照明には電力が必要なことから、ランニングコストがかさむという問題もある。
【発明の開示】
【発明が解決しようとする課題】
【０００４】
本発明はかかる従来技術の課題に鑑みなされたものであって、設備コストの上昇、施工の煩雑化およびランニングコストの上昇を招来せず、しかもメンテナンスフリーな照明機能を有する外壁面材およびその製法を提供することを目的としている。
【課題を解決するための手段】
【０００５】
本発明の外壁面材は、面材本体を備えてなる外壁面材であって、該面材本体と一体的に所定形状とされた蓄光材が配設されてなることを特徴とする。
【０００６】
本発明の外壁面材においては、蓄光材が面材本体の表面形状に対応させて形成されてなるのが好ましい。例えば、面材本体の表面が波型状とされ、蓄光材が該波型状に対応させて形成されていたり、面材本体の表面がタイル調とされ、蓄光材がタイル調とされていたりするのが好ましい。
【０００７】
一方、本発明の外壁面材の製法は、コンクリート面材を備えてなる外壁面材の製法であって、型枠底面に蓄光材を配置する手順と、型枠内にコンクリートを打設する手順と、所定の養生の後に脱型する手順とを含んでいることを特徴とする。
【０００８】
しかして、本発明の外壁面材は、外壁に備えられ、その外壁は、建築物に備えられる。
【発明の効果】
【０００９】
本発明によれば、電力を消費することなく、つまりランニングコストを要することなく住宅の外壁周りを照明できるという優れた効果が得られる。また、外壁面材自体が照明機能を有するので、照明のための特段の設備およびそれに付帯する工事が必要ないという優れた効果が得られる。さらに、蓄光材の寿命は半永久的であるので、メンテナンスも不要とできるという優れた効果も得られる。
【発明を実施するための最良の形態】
【００１０】
以下、添付図面を参照しながら本発明を実施形態に基づいて説明するが、本発明はかかる実施形態のみに限定されるものではない。
【００１１】
本発明の一実施形態に係る外壁面材を図１に示す。
【００１２】
外壁面材Ｍは、図１に示すように、その表面側に所定形状とされた蓄光材１が面材本体（コンクリート板）２と一体的に配設されてなるものとされる。
【００１３】
蓄光材１は、日中に蓄光しその蓄光した光を一晩中照射する蓄光能力を有するものとされる。また、蓄光材１は配設される外壁面材Ｍの表面形態に応じた形態とされる。例えば、外壁面材Ｍの表面が波型とされていれば、図２に示すように、蓄光材１もその波型に対応した波型とされる。また、外壁面材Ｍがタイル調に形成されていれば、図３に示すように、蓄光材１もタイル調とされる。図３中、符号３はタイルを示す。
【００１４】
次に、図４〜図６を参照しながら、かかる構成とされている外壁面材Ｍの製法について説明する。
【００１５】
手順１：型枠Ｆの底面（外壁面材の表面側に対応する面）Ｆａに所定形状、例えば円形とされた蓄光材を所定配列、例えば碁盤目配列や千鳥配列にて配置する（図４参照）。図中、符号Ｊは定盤を示す。
【００１６】
手順２：型枠Ｆ内にコンクリートＣを打設する（図５参照）。打設するコンクリートは例えばＧＲＣ（ガラス繊維強化コンクリート）とされる。
【００１７】
手順３：所定の養生の後、型枠Ｆを撤去する（図６参照）。つまり、脱型する。
【００１８】
この一連の手順により、外壁面材Ｍが完成する。
【００１９】
図７にかかる構成とされた外壁面材Ｍを用いて構成された戸建住宅４０を示す。この戸建住宅４０においては、図７に示すように、日中に蓄光材１に蓄光された光により住宅周囲の夜間照明がなされ、防犯効果が発揮される。また、蓄光材１は電力を消費することなく照明するので、ランニングコストが不要であり、その寿命も半永久的であるので、メンテナンスも不要となる。さらに、外壁面材Ｍ自体が照明機能を有するので、照明設備のための特段の工期を必要としないので、工期の短縮および施工コストの低減が図られる。
【００２０】
以上、本発明を実施形態に基づいて説明してきたが、本発明はかかる実施形態のみに限定されるものではなく、種々改変が可能である。例えば、本実施形態においては、蓄光材は円形あるいは長方形とされているが、蓄光材は楕円形や星型とされてもよい。
【産業上の利用可能性】
【００２１】
本発明は、照明設備が必要とされる各種外壁に適用できる。
【図面の簡単な説明】
【００２２】
【図１】本発明の一実施形態に係る外壁面材の概略図である。
【図２】蓄光材の形態の一例を示す部分断面図である。
【図３】蓄光材の形態の他の例を示す部分正面図である。
【図４】本発明の外壁面材の製法における工程の説明図であって、蓄光材を型枠底面に配置した状態を示す。
【図５】本発明の外壁面材の製法における工程の説明図であって、型枠内にコンクリートを打設している状態を示す。
【図６】本発明の外壁面材の製法における工程の説明図であって、型枠を撤去した状態を示す。
【図７】本発明の外壁面材を用いて構成された戸建住宅の概略図である。
【図８】従来の戸建住宅の図７相当図である。
【図９】従来の集合住宅の廊下の概略図である。
【符号の説明】
【００２３】
１      蓄光材
２      面材本体（コンクリート板）
３      タイル
４０      戸建住宅
Ｃ      コンクリート
Ｆ      型枠
Ｊ      定盤
Ｍ      外壁面材
【図１】
2006257694.tif 000003
【図２】
2006257694.tif 000004
【図３】
2006257694.tif 000005
【図４】
2006257694.tif 000006
【図５】
2006257694.tif 000007
【図６】
2006257694.tif 000008
【図７】
2006257694.tif 000009
【図８】
2006257694.tif 000010
【図９】
2006257694.tif 000011